(57)【要約】【課題】  購入予定の商品又はサービスを購入可能な施設情報を、消費者の位置に基づいて、当該消費者に提供すること【解決手段】  購入支援サーバ１０は、取扱商品又は取扱サービスを示す取扱情報と所在地を示す所在地情報とを含む施設情報を複数格納する施設情報格納部１３と、携帯電話機２０の現在位置を示す位置情報、及び、購入予定の商品又はサービスを示す購入予定情報を携帯電話機２０から受信する受信部１１と、受信された位置情報を格納する位置情報格納部１５と、受信された購入予定情報を格納する購入予定格納部１４と、購入予定情報及び位置情報に基づいて、購入予定の商品又はサービスを購入可能であり且つ通信端末から所定の距離内に存在する施設を示す施設情報を施設情報格納部１３から抽出する施設情報抽出部１６と、抽出された施設情報を携帯電話機２０に送信する送信部１２とを備える。【選択図】  図２
2008242813.tif 000002
【特許請求の範囲】
【請求項１】
取扱商品又は取扱サービスを示す取扱情報と所在地を示す所在地情報とを含む施設情報を複数格納する施設情報格納手段と、
通信端末の現在位置を示す位置情報を受信する位置情報受信手段と、
前記位置情報受信手段により受信された位置情報を格納する位置情報格納手段と、
購入予定の商品又はサービスを示す購入予定情報を前記通信端末から受信する購入予定受信手段と、
前記購入予定受信手段により受信された購入予定情報を格納する購入予定格納手段と、
前記購入予定格納手段に格納されている購入予定情報と、前記位置情報格納手段に格納されている位置情報とに基づいて、前記購入予定の商品又はサービスを購入可能であり且つ前記通信端末から所定の距離内に存在する施設を示す施設情報を前記施設情報格納手段から抽出する施設情報抽出手段と、
前記施設情報抽出手段により抽出された施設情報を前記通信端末に送信する施設情報送信手段とを備える購入支援サーバ。
【請求項２】
購入された商品又はサービスを示す購入情報を前記通信端末から受信する購入情報受信手段と、
前記購入情報受信手段により受信された購入情報に基づいて、当該購入情報で示される商品又はサービスを示す購入予定情報を前記購入予定格納手段から削除する削除手段を更に備える請求項１に記載の購入支援サーバ。
【請求項３】
前記購入情報を格納する履歴格納手段と、
購入処理後所定の時間が経過した購入情報を前記履歴格納手段から抽出する履歴抽出手段と、
前記履歴抽出手段により抽出された購入情報で示される商品又はサービスの購入を推奨するための購入推奨情報を前記通信端末に送信する推奨対象送信手段を更に備え、
前記購入予定受信手段が、前記推奨対象送信手段により送信された購入推奨情報に応じて前記通信端末から送信されてきた購入予定情報を受信する、請求項２に記載の購入支援サーバ。
【請求項４】
購入予定の商品又はサービスを示す購入予定情報の入力を受け付ける購入予定受付手段と、
前記購入予定受付手段により受け付けられた購入予定情報を請求項１〜３のいずれか一項に記載の購入支援サーバに送信する購入予定送信手段と、
自端末の現在位置を算出する算出手段と、
前記算出手段により算出された現在位置を示す位置情報を前記購入支援サーバに送信する位置情報送信手段と、
前記購入予定送信手段により送信された購入予定情報と前記位置情報送信手段により送信された位置情報とに応じて前記購入支援サーバが送信した前記施設情報を受信する施設情報受信手段と、
前記施設情報受信手段により受信された施設情報を自端末の使用者に提供する提供手段とを備える通信端末。
【請求項５】
前記提供手段が、前記算出手段により算出された現在位置から前記施設情報受信手段により受信された施設情報に含まれる所在地情報で示される所在地までの経路を提供する、
請求項４に記載の通信端末。
【請求項６】
購入された商品又はサービスを示す購入情報の入力を受け付ける購入情報受付手段と、
前記購入情報受付手段により受け付けられた購入情報を請求項２又は３に記載の購入支援サーバに送信する購入情報送信手段とを更に備え、
前記購入支援サーバが前記購入情報送信手段により送信された購入情報に基づいて前記購入予定情報を削除する、
請求項４又は５に記載の通信端末。
【請求項７】
通信端末と、前記通信端末とネットワークを介して通信可能な購入支援サーバとを備える購入支援システムであって、
前記通信端末が、
購入予定の商品又はサービスを示す購入予定情報の入力を受け付ける購入予定受付手段と、
前記購入予定受付手段により受け付けられた購入予定情報を前記購入支援サーバに送信する購入予定送信手段と、
自端末の現在位置を算出する算出手段と、
前記算出手段により算出された現在位置を示す位置情報を前記購入支援サーバに送信する位置情報送信手段と、
前記購入予定送信手段により送信された購入予定情報と前記位置情報送信手段により送信された位置情報とに応じて前記購入支援サーバが送信した前記施設情報を受信する施設情報受信手段と、
前記施設情報受信手段により受信された施設情報を自端末の使用者に提供する提供手段とを備え、
前記購入支援サーバが、
取扱商品又は取扱サービスを示す取扱情報と所在地を示す所在地情報とを含む施設情報を複数格納する施設情報格納手段と、
前記通信端末の現在位置を示す位置情報を受信する位置情報受信手段と、
前記位置情報受信手段により受信された位置情報を格納する位置情報格納手段と、
購入予定の商品又はサービスを示す購入予定情報を前記通信端末から受信する購入予定受信手段と、
前記購入予定受信手段により受信された購入予定情報を格納する購入予定格納手段と、
前記購入予定格納手段に格納されている購入予定情報と、前記位置情報格納手段に格納されている位置情報とに基づいて、前記購入予定の商品又はサービスを購入可能であり且つ前記通信端末から所定の距離内に存在する施設を示す施設情報を前記施設情報格納手段から抽出する施設情報抽出手段と、
前記施設情報抽出手段により抽出された施設情報を前記通信端末に送信する施設情報送信手段とを備える、
ことを特徴とする購入支援システム。
【請求項８】
通信端末とネットワークを介して通信可能な購入支援サーバが、取扱商品又は取扱サービスを示す取扱情報と所在地を示す所在地情報とを含む施設情報を複数格納する施設情報格納ステップと、
前記購入支援サーバが、前記通信端末の現在位置を示す位置情報を受信する位置情報受信ステップと、
前記購入支援サーバが、前記位置情報受信ステップにおいて受信された位置情報を格納する位置情報格納ステップと、
前記購入支援サーバが、購入予定の商品又はサービスを示す購入予定情報を前記通信端末から受信する購入予定受信ステップと、
前記購入支援サーバが、前記購入予定受信ステップにおいて受信された購入予定情報を格納する購入予定格納ステップと、
前記購入支援サーバが、前記購入予定格納ステップにおいて格納された購入予定情報と、前記位置情報格納ステップにおいて格納された位置情報とに基づいて、前記購入予定の商品又はサービスを購入可能であり且つ前記通信端末から所定の距離内に存在する施設を示す施設情報を前記施設情報格納ステップにおいて格納された複数の施設情報から抽出する施設情報抽出ステップと、
前記購入支援サーバが、前記施設情報抽出ステップにおいて抽出された施設情報を前記通信端末に送信する施設情報送信ステップとを備える購入支援方法。
【発明の詳細な説明】
【技術分野】
【０００１】
本発明は、購入予定の商品又はサービスを購入可能な施設情報を提供する購入支援サーバ、通信端末、購入支援システム及び購入支援方法に関するものである。
【背景技術】
【０００２】
従来から、消費者が商品又はサービスを購入しようとする際に、その購入を支援する手法が知られている。例えば、下記特許文献１には、ユーザが購入しようとする商品の値段と当該商品の販売店とを通知する車載用電子装置が開示されている。この車載用電子装置は、入力された商品情報及び希望購入価格に基づいて、当該希望購入価格よりも安い販売価格を提示している販売店を検索し、検索された販売店までの経路を提供する。また、下記特許文献２には、商品購入やサービス提供を予約した施設までの走行経路を探索し、探索された経路に沿って車両の走行を案内するナビゲーション装置が開示されている。
【特許文献１】特開２００５−３２１３６３号公報
【特許文献２】特開２００６−１０７２１９号公報
【発明の開示】
【発明が解決しようとする課題】
【０００３】
しかしながら、消費者が上記特許文献１に記載の車載用電子装置又は上記特許文献２に記載のナビゲーション装置を使用した場合、その消費者は目的地（商品又はサービスを購入しようとする施設）を常に意識して行動する必要がある。すなわち、これら車載用電子装置及びナビゲーション装置は、消費者（使用者）がこれからその目的地に向かうことを前提としているものである。そのため、消費者が購入自体を忘れていたり（いわゆる買い忘れ）、他の目的（例えば映画鑑賞）のついでに店舗に寄って買い物をしたりする場合には、これら車載用電子装置及びナビゲーション装置は、その消費者に対して何らの購入支援もすることができない。
【０００４】
本発明は、上記課題を解決する為になされたものであり、購入予定の商品又はサービスを購入可能な施設情報を、消費者の位置に基づいて、当該消費者に提供可能な購入支援サーバ、通信端末、購入支援システム及び購入支援方法を提供することを目的とする。
【課題を解決するための手段】
【０００５】
本発明の購入支援サーバは、取扱商品又は取扱サービスを示す取扱情報と所在地を示す所在地情報とを含む施設情報を複数格納する施設情報格納手段と、通信端末の現在位置を示す位置情報を受信する位置情報受信手段と、位置情報受信手段により受信された位置情報を格納する位置情報格納手段と、購入予定の商品又はサービスを示す購入予定情報を通信端末から受信する購入予定受信手段と、購入予定受信手段により受信された購入予定情報を格納する購入予定格納手段と、購入予定格納手段に格納されている購入予定情報と、位置情報格納手段に格納されている位置情報とに基づいて、購入予定の商品又はサービスを購入可能であり且つ通信端末から所定の距離内に存在する施設を示す施設情報を施設情報格納手段から抽出する施設情報抽出手段と、施設情報抽出手段により抽出された施設情報を通信端末に送信する施設情報送信手段とを備える。
【０００６】
また、本発明の通信端末は、購入予定の商品又はサービスを示す購入予定情報の入力を受け付ける購入予定受付手段と、購入予定受付手段により受け付けられた購入予定情報を上記購入支援サーバに送信する購入予定送信手段と、自端末の現在位置を算出する算出手段と、算出手段により算出された現在位置を示す位置情報を購入支援サーバに送信する位置情報送信手段と、購入予定送信手段により送信された購入予定情報と位置情報送信手段により送信された位置情報とに応じて購入支援サーバが送信した施設情報を受信する施設情報受信手段と、施設情報受信手段により受信された施設情報を自端末の使用者に提供する提供手段とを備える。
【０００７】
また、本発明の購入支援システムは、通信端末と、通信端末とネットワークを介して通信可能な購入支援サーバとを備える購入支援システムであって、通信端末が、購入予定の商品又はサービスを示す購入予定情報の入力を受け付ける購入予定受付手段と、購入予定受付手段により受け付けられた購入予定情報を購入支援サーバに送信する購入予定送信手段と、自端末の現在位置を算出する算出手段と、算出手段により算出された現在位置を示す位置情報を購入支援サーバに送信する位置情報送信手段と、購入予定送信手段により送信された購入予定情報と位置情報送信手段により送信された位置情報とに応じて購入支援サーバが送信した施設情報を受信する施設情報受信手段と、施設情報受信手段により受信された施設情報を自端末の使用者に提供する提供手段とを備え、購入支援サーバが、取扱商品又は取扱サービスを示す取扱情報と所在地を示す所在地情報とを含む施設情報を複数格納する施設情報格納手段と、通信端末の現在位置を示す位置情報を受信する位置情報受信手段と、位置情報受信手段により受信された位置情報を格納する位置情報格納手段と、購入予定の商品又はサービスを示す購入予定情報を通信端末から受信する購入予定受信手段と、購入予定受信手段により受信された購入予定情報を格納する購入予定格納手段と、購入予定格納手段に格納されている購入予定情報と、位置情報格納手段に格納されている位置情報とに基づいて、購入予定の商品又はサービスを購入可能であり且つ通信端末から所定の距離内に存在する施設を示す施設情報を施設情報格納手段から抽出する施設情報抽出手段と、施設情報抽出手段により抽出された施設情報を通信端末に送信する施設情報送信手段とを備える、ことを特徴とする。
【０００８】
また、本発明の購入支援方法は、通信端末とネットワークを介して通信可能な購入支援サーバが、取扱商品又は取扱サービスを示す取扱情報と所在地を示す所在地情報とを含む施設情報を複数格納する施設情報格納ステップと、購入支援サーバが、通信端末の現在位置を示す位置情報を受信する位置情報受信ステップと、購入支援サーバが、位置情報受信ステップにおいて受信された位置情報を格納する位置情報格納ステップと、購入支援サーバが、購入予定の商品又はサービスを示す購入予定情報を通信端末から受信する購入予定受信ステップと、購入支援サーバが、購入予定受信ステップにおいて受信された購入予定情報を格納する購入予定格納ステップと、購入支援サーバが、購入予定格納ステップにおいて格納された購入予定情報と、位置情報格納ステップにおいて格納された位置情報とに基づいて、購入予定の商品又はサービスを購入可能であり且つ通信端末から所定の距離内に存在する施設を示す施設情報を施設情報格納ステップにおいて格納された複数の施設情報から抽出する施設情報抽出ステップと、購入支援サーバが、施設情報抽出ステップにおいて抽出された施設情報を通信端末に送信する施設情報送信ステップとを備える。
【０００９】
このような購入支援サーバ、通信端末、購入支援システム及び購入支援方法によれば、
まず、通信端末が、購入予定情報の入力を受け付けて当該情報を購入支援サーバに送信するとともに、自端末の現在位置を算出しその現在位置を示す位置情報を購入支援サーバに送信する。次に、購入支援サーバが、通信端末から送信された購入予定情報及び位置情報に基づいて、購入予定の商品又はサービスを購入可能であり且つ通信端末から所定の距離内に存在する施設を示す施設情報を、予め格納されている複数の施設情報から抽出し、抽出された施設情報を通信端末に送信する。そして、通信端末が、その施設情報を受信して当該通信端末の使用者に提供する。これにより、消費者（通信端末の使用者）が購入予定の商品又はサービスを登録しさえすれば、その商品又はサービスを購入可能な施設にその消費者が近づいた際に、当該消費者に対してその施設に関する情報が提供される。そのため、消費者は、購入予定の商品又はサービスを登録した後にその購入のことを意識しなくても、その商品又はサービスを購入可能な施設に近づいた際（例えば、後日他の目的のついでに買い物をしようとする際など）にその施設に関する情報を受けることができる。すなわち、購入予定の商品又はサービスを購入可能な施設情報を、消費者の位置に基づいて、当該消費者に提供できる。また、施設情報が提供されるので、消費者は、その施設情報で示される施設に容易に向かうことができる。
【００１０】
本発明の購入支援サーバでは、購入された商品又はサービスを示す購入情報を通信端末から受信する購入情報受信手段と、購入情報受信手段により受信された購入情報に基づいて、当該購入情報で示される商品又はサービスを示す購入予定情報を購入予定格納手段から削除する削除手段を更に備えることが好ましい。
【００１１】
また、本発明の通信端末では、購入された商品又はサービスを示す購入情報の入力を受け付ける購入情報受付手段と、購入情報受付手段により受け付けられた購入情報を上記購入支援サーバに送信する購入情報送信手段とを更に備え、購入支援サーバが購入情報送信手段により送信された購入情報に基づいて購入予定情報を削除することが好ましい。
【００１２】
この場合、まず、通信端末が、購入情報の入力を受け付けて当該情報を購入支援サーバに送信する。そして、購入支援サーバが、その購入情報に基づいて、当該購入情報で示される商品又はサービスを示す購入予定情報を削除する。これにより、消費者に対しては、購入予定の商品又はサービスを購入可能な施設のみが提供される。言い換えれば、消費者は、一度購入した商品又はサービス（再購入の必要がない商品又はサービス）の再購入を促されることがない。すなわち、施設情報がより適切に提供される。
【００１３】
本発明の購入支援サーバでは、購入情報を格納する履歴格納手段と、購入処理後所定の時間が経過した購入情報を履歴格納手段から抽出する履歴抽出手段と、履歴抽出手段により抽出された購入情報で示される商品又はサービスの購入を推奨するための購入推奨情報を通信端末に送信する推奨対象送信手段を更に備え、購入予定受信手段が、推奨対象送信手段により送信された購入推奨情報に応じて通信端末から送信されてきた購入予定情報を受信することが好ましい。
【００１４】
この場合、購入支援サーバが、購入情報を格納し、その購入情報（購入履歴）に基づいて、購入処理後所定の時間が経過した商品又はサービスを示す購入推奨情報を通信端末に送信する。そして、その購入推奨情報に応じて通信端末が送信した購入予定情報が、購入支援サーバにより受信され格納される。これにより、消費者が過去に購入した商品又はサービスを示す購入推奨情報が、その購入から所定時間経過後に自動的に通信端末に送信されるので、消費者に対してその商品又はサービスの再購入を容易に促すことができる。特に、周期的に購入するような商品及びサービスに対して、この手法は有効である。また、消費者は、送信されてきた購入推奨情報に基づいて購入予定情報を登録することができるので、購入予定情報の登録の利便性が更に向上する。
【００１５】
本発明の通信端末では、提供手段が、算出手段により算出された現在位置から施設情報受信手段により受信された施設情報に含まれる所在地情報で示される所在地までの経路を提供することが好ましい。
【００１６】
この場合、消費者が購入しようとしている商品又はサービスを購入可能な施設にその消費者が近づいた際に、通信端末の現在位置（消費者の現在位置）から施設までの経路が提供される。これにより、消費者は、提供された経路に従ってその施設により容易に向かうことができるので、通信端末の利便性が更に向上する。
【発明の効果】
【００１７】
このような購入支援サーバ、通信端末、購入支援システム及び購入支援方法によれば、購入予定の商品又はサービスを購入可能な施設情報を、消費者の位置に基づいて、当該消費者に提供できる。
【発明を実施するための最良の形態】
【００１８】
以下、添付図面を参照しながら本発明の実施形態を詳細に説明する。なお、図面の説明において同一又は同等の要素には同一の符号を付し、重複する説明を省略する。
【００１９】
まず、図１を用いて、実施形態に係る購入支援システム１について説明する。図１は、購入支援システム１の全体構成を示す図である。
【００２０】
購入支援システム１は、購入支援サーバ１０、携帯電話機２０、移動体通信網３０及びＧＰＳ（Global Positioning System、全地球測位システム）衛星４０を備えている。購入支援サーバ１０と携帯電話機２０とは、移動体通信網３０を介して互いに通信することが可能である。携帯電話機２０は、ＧＰＳ衛星４０からの信号を受信し処理することで自機の現在位置を算出することが可能である。
【００２１】
なお、図１では、簡単のため、携帯電話機２０及びＧＰＳ衛星４０をそれぞれ一ずつ示したが、購入支援システム１が携帯電話機２０及びＧＰＳ衛星４０をそれぞれ複数備えてもよい。
【００２２】
次に、図２及び３を用いて購入支援サーバ１０の機能構成及びハードウェア構成を説明する。図２は、図１に示される購入支援サーバ１０の機能構成を示す図である。また、図３は、その購入支援サーバ１０のハードウェア構成図である。
【００２３】
購入支援サーバ１０は、機能的構成要素として、受信部（位置情報受信手段、購入予定受信手段、購入情報受信手段）１１、送信部（施設情報送信手段、推奨対象送信手段）１２、施設情報格納部（施設情報格納手段）１３、購入予定格納部（購入予定格納手段）１４、位置情報格納部（位置情報格納手段）１５、施設情報抽出部（施設情報抽出手段）１６、削除部（削除手段）１７、履歴格納部（履歴格納手段）１８、及び履歴抽出部（履歴抽出手段）１９を備えている。
【００２４】
購入支援サーバ１０は、図３に示すように、オペレーティングシステムやアプリケーションプログラムなどを実行するＣＰＵ１０１、ＲＯＭ及びＲＡＭで構成される主記憶装置１０２、ハードディスクなどで構成される補助記憶装置１０３、ネットワークカードなどの通信制御装置１０４、キーボードやマウスなどの入力装置１０５、及びモニタやプリンタなどの出力装置１０６で構成される。図２に示される各機能は、図３に示すＣＰＵ１０１や主記憶装置１０２の上に所定のソフトウェアを読み込ませ、ＣＰＵ１０１の制御の下で通信制御装置１０４を動作させるとともに、主記憶装置１０２や補助記憶装置１０３におけるデータの読み出し及び書き込みを行うことで実現される。
【００２５】
受信部１１は、携帯電話機２０から移動体通信網３０を経由して送信されてきたデータを受信し処理する。具体的には、位置情報を受信して位置情報格納部１５に出力する処理と、購入予定情報を受信して購入予定格納部１４に出力する処理と、購入情報を受信して削除部１７及び履歴格納部１８に出力する処理とを行う。位置情報、購入予定情報及び購入情報の詳細は後述する。
【００２６】
送信部１２は、他の機能的構成要素から入力されたデータを、移動体通信網３０を介して携帯電話機２０に送信する。具体的には、送信部１２は、施設情報抽出部１６から入力された施設情報を送信し、また、履歴抽出部１９から入力された購入情報を購入推奨情報として携帯電話機２０に送信する。施設情報及び購入情報の詳細は後述する。購入推奨情報は、購入情報で示される商品又はサービスの購入を推奨するためのものであり、その構造は、購入情報のそれと同じである。
【００２７】
施設情報格納部１３は、商品又はサービスを提供する施設についての情報（施設情報）を複数格納する。施設情報は、取扱商品又は取扱サービスを示す取扱情報と、施設の所在地を示す所在地情報とを含む。取扱情報は、施設で購入可能な商品又はサービスの属性（以下、「商品等属性」という）を表す情報である。商品等属性は、例えば、商品名（サービス名）、型番、メーカ名（提供者名）、商品又はサービスの一般的名称や分類名を示す分類名、価格などである。なお、取扱情報で表される商品等属性はこれらに限定されない。一方、所在地情報は、例えば、施設名、住所、電話番号、緯度経度、最寄り駅等からの距離・所要時間などであるが、これら以外の情報を所在地情報として扱ってもよい。
【００２８】
例えば、施設情報格納部１３は、商品名「Ａティッシュ」、メーカ名「甲社」、分類名「ティッシュペーパ」、及び価格「２５０円」を表す取扱情報と、施設名「Ｐストア」、住所「東京都中央区ｘｘｘ」、及び緯度経度「東経１３９度３０分４０秒、北緯３５度４０分５０秒」を表す所在地情報とを含む施設情報を格納する。施設情報格納部１３に格納される施設情報の例を図４に示す。なお、施設情報に含まれる情報は、取扱情報及び所在地情報に限定されない。例えば、施設情報が、営業日・営業時間に関する情報や、バーゲン開催の有無に関する情報などを更に含んでもよい。
【００２９】
購入予定格納部１４は、受信部１１から入力された購入予定情報を格納する。購入予定情報は、携帯電話機２０の使用者が購入を予定している商品又はサービスを示し、当該商品又はサービスの属性（商品等属性）と、送信元の携帯電話機を識別する端末ＩＤとを含む。この購入予定情報は、携帯電話機２０から送信されてくる。この購入予定情報で表される商品等属性は、施設情報に含まれる取扱情報のそれと同じものでもよいし、異なるものでもよい。例えば、上述の取扱情報で表される商品等属性が商品名、メーカ名、分類名であるのに対して、購入予定情報で表される商品等属性が商品名及び分類名のみであってもよい。例えば、購入予定格納部１４は、商品名「Ｂティッシュ」、メーカ名「乙社」、分類名「ティッシュペーパ」、及び価格「２００円」から成る商品等属性と、端末ＩＤ「携帯電話機Ａ」とを含む購入予定情報を格納する。
【００３０】
位置情報格納部１５は、受信部１１から入力された位置情報を格納する。位置情報は、携帯電話機２０の現在位置を緯度経度により示すものであり、当該緯度経度と携帯電話機２０の端末ＩＤとを含む。例えば、位置情報格納部１５は、緯度経度「東経１３９度３０分３０秒、北緯３５度４０分４０秒」及び端末ＩＤ「携帯電話機Ａ」を含む位置情報を格納する。
【００３１】
施設情報抽出部１６は、購入予定格納部１４に格納されている購入予定情報と、位置情報格納部１５に格納されている位置情報とに基づいて、携帯電話機２０の使用者が購入する予定の商品又はサービスを購入可能であり且つ携帯電話機２０から所定の距離内に存在する施設を示す施設情報を施設情報格納部１３から抽出する。そして、施設情報抽出部１６は、抽出された施設情報を送信部１２に出力する。
【００３２】
施設情報抽出部１６は、まず、位置情報と所在地情報とに基づいて、携帯電話機２０と所在地情報で示される位置に存在する施設との距離を算出する。なお、算出される距離は、携帯電話機２０と施設との間の歩程距離であってもよいし、それらの間の直線距離であってもよい。施設情報抽出部１６は、距離の算出を、施設情報格納部１３に格納されている各施設について行う。そして、施設情報抽出部１６は、算出された各距離に基づいて、携帯電話機２０までの距離が所定値以下（例えば５００ｍ以下）の施設（携帯電話機２０から所定の距離内に存在する施設）を示す施設情報を抽出する。例えば、施設情報抽出部１６は、端末ＩＤ「携帯電話機Ａ」の携帯電話機２０から送信された位置情報に基づいて、当該携帯電話機２０からの歩程距離が５００ｍ以下の施設を抽出する。
【００３３】
次に、施設情報抽出部１６は、抽出された施設情報の中から、購入予定情報で示される商品又はサービスを取扱情報として有している施設情報を抽出する。なお、この抽出で用いられる購入予定情報に含まれる端末ＩＤは、距離を算出する際に用いられた位置情報に含まれる端末ＩＤと同じである。
【００３４】
施設情報を抽出する際に、どの商品等属性を用いて購入予定情報と施設情報とを比較するかは限定されない。例えば、施設情報抽出部１６が、分類名を用いて購入予定情報と施設情報とを比較してもよい。施設情報抽出部１６が、商品名ではなく分類名を用いて購入情報と取扱情報とを比較することで、購入支援サーバ１０は、消費者が商品名にこだわらずに買い物をする場合（例えば、トイレットペーパなどの日用雑貨などを購入する場合）に、施設情報の抽出を適切に実行できる。もちろん、施設情報抽出部１６が商品名などの他の商品等属性を用いて購入予定情報と取扱情報とを比較してもよい。
【００３５】
その後、施設情報抽出部１６は、抽出された施設情報を送信部１２に出力する。この際、送信部１２に出力される施設情報の個数が複数になる場合がある。具体的には、取扱情報が同じで所在地情報が互いに異なる複数の施設情報が出力される場合と、所在地情報が同じで取扱情報が互いに異なる複数の施設情報が出力される場合と、取扱情報も所在地情報も互いに異なる複数の施設情報が出力される場合とがある。
【００３６】
削除部１７は、受信部１１から入力された購入情報に基づいて、当該購入情報で示される商品又はサービスを示す購入予定情報を購入予定格納部１４から削除する。購入情報は、携帯電話機２０の使用者が購入した商品又はサービスを示し、当該商品又はサービスの属性（商品等属性）と、送信元の携帯電話機を識別する端末ＩＤとを含む。この購入予定情報で表される商品等属性は、購入予定情報のそれと同じものでもよいし、異なるものでもよい。
【００３７】
削除部１７は、購入情報と購入予定情報との間で商品等属性及び端末ＩＤを比較して、商品等属性及び端末ＩＤが互いに一致する購入情報を削除する。このときに削除部１７がどの商品等属性を用いるかは限定されない。例えば、削除部１７が分類名を用いて商品等属性を比較してもよい。削除部１７が、商品名ではなく分類名を用いて購入情報と購入予定情報とを比較することで、購入支援サーバ１０は、消費者が商品名にこだわらずに買い物をする場合（例えば、トイレットペーパなどの日用雑貨などを購入する場合）に、購入予定情報の削除を適切に実行できる。もちろん、削除部１７が商品名などの他の商品等属性を用いて購入情報と購入予定情報とを比較してもよい。
【００３８】
例えば、購入予定格納部１４に、商品名「Ａティッシュ」、メーカ名「甲社」、分類名「ティッシュペーパ」、及び価格「２５０円」で表される商品等属性と、端末ＩＤ「携帯電話機Ａ」とを含む購入予定情報が格納されているとする。この場合に、商品名「Ｂティッシュ」、メーカ名「乙社」、分類名「ティッシュペーパ」、及び価格「２００円」を表す商品等属性と、端末ＩＤ「携帯電話機Ａ」とを含む購入情報が削除部１７に入力された場合、削除部１７は、これら購入情報及び購入予定情報の間で分類名及び端末ＩＤが同じであると判断し、その購入予定情報を削除する。
【００３９】
履歴格納部１８は、受信部１１から入力された購入情報を現在時刻（格納時刻）と対応付け、その購入情報を格納する。言い換えれば、履歴格納部１８は、入力された購入情報に基づいて購入履歴を生成する。
【００４０】
履歴抽出部１９は、履歴格納部１８に格納後（購入処理後）所定の時間（例えば１ヶ月）が経過した購入情報（購入履歴）を履歴格納部１８から抽出する。すなわち、履歴抽出部１９は、購入後所定の時間が経過した商品又はサービスを示す購入情報を履歴格納部１８から抽出する。そして、履歴抽出部１９は、抽出された購入情報を送信部１２に出力する。この所定の時間は、すべての商品及びサービスについて一律に設定してもよいし、任意の商品等属性毎に個別に設定してもよい。また、携帯電話機２０から設定時間を受信し、受信された設定時間に基づいて所定の時間を決定してもよい。これらを組み合わせることで、よりきめ細かな時間設定が可能になる。なお、所定の時間の起算点は、購入情報を格納した時点に限定されない。例えば、受信部１１が購入情報を受信した時刻などのように、購入情報に関する処理を行った時を起算点とすることができる。
【００４１】
次に図５及び６を用いて携帯電話機２０の機能構成及びハードウェア構成を説明する。図５は、図１に示される携帯電話機２０の機能構成を示す図である。また、図６は、その携帯電話機２０のハードウェア構成図である。
【００４２】
携帯電話機２０は、機能的構成要素として、データ通信用アンテナ２１、ＧＰＳ用アンテナ２２、受信部（施設情報受信手段）２３、送信部（購入予定送信手段、位置情報送信手段、購入情報送信手段）２４、購入予定受付部（購入予定受付手段）２５、算出部（算出手段）２６、提供部（提供手段）２７及び購入情報受付部（購入情報受付手段）２８を備えている。
【００４３】
この携帯電話機２０は、図６に示すように、オペレーティングシステムやアプリケーションプログラムなどを実行するＣＰＵ２０１、ＲＯＭ及びＲＡＭで構成される主記憶部２０２、メモリなどで構成される補助記憶部２０３、移動体通信網３０を介してデータ通信を行う通信制御部２０４、液晶モニタなどで構成される表示部２０５並びに文字・数字入力及び実行指示を行うキーで構成される操作部２０６で構成される。図５を示して説明した各機能は、図６に示すＣＰＵ２０１及び主記憶部２０２の上に所定のソフトウェアを読み込ませ、ＣＰＵ２０１の制御の下で通信制御部２０４を動作させるとともに、主記憶部２０２や補助記憶部２０３におけるデータの読み出し及び書き込みを行うことで実現される。
【００４４】
データ通信用アンテナ２１は、移動体通信網３０を構成する基地局（図示せず）との間で所定のデータ信号を送受信できる。ＧＰＳ用アンテナ２２は、一以上のＧＰＳ衛星４０から所定のＧＰＳ信号を受信可能である。なお、本実施形態では、携帯電話機２０がＧＰＳ用及びデータ通信用にそれぞれアンテナを備えているが、アンテナの構成はこれに限定されない。例えば、携帯電話機２０が、一本のアンテナと複数の周波数帯域を分離可能な共用器とを用いる共用方式を採用してもよい。
【００４５】
受信部２３は、購入支援サーバ１０から移動体通信網３０を経由して送信されてきたデータを、データ通信用アンテナ２１を介して受信し処理する。具体的には、施設情報を受信して提供部２７及び購入情報受付部２８に出力する処理と、購入推奨情報を受信して購入予定受付部２５に出力する処理とを行う。
【００４６】
送信部２４は、他の機能的構成要素から入力されたデータに端末ＩＤを埋め込み、端末ＩＤが埋め込まれたデータを、データ通信用アンテナ２１を介して購入支援サーバ１０に送信する。具体的には、送信部２４は、購入予定受付部２５から入力された購入予定情報、算出部２６から入力された位置情報、及び購入情報受付部２８から入力された購入情報のそれぞれについて、端末ＩＤの埋め込みを行った上で送信する。
【００４７】
購入予定受付部２５は、購入予定情報の入力を受け付け、受け付けた購入予定情報を送信部２４に出力する。購入予定情報の入力をどのように受け付けるかは限定されない。例えば、携帯電話機２０の使用者が購入予定情報を直接入力するように購入予定受付部２５を構成することが考えられる。また、使用者の入力操作に基づいてウェブページ（Ｗｅｂページ）を解析し、当該ウェブページ上のデータに基づいて購入予定情報を生成するように購入予定受付部２５を構成してもよい。更に、携帯電話機２０のカメラ（図示せず）で撮影された二次元バーコードを処理することで購入予定情報が生成されるように、購入予定受付部２５が構成されてもよい。
【００４８】
加えて、購入予定受付部２５は、受信部２３から入力された購入推奨情報に基づいて購入予定情報を生成し、生成された購入予定情報を携帯電話機２０の使用者に提供する。この際、購入予定受付部２５は、生成された購入予定情報を購入支援サーバ１０に送信するか否かの選択肢も使用者に提供する。そして、購入予定受付部２５は、使用者が購入予定情報の送信を選択した場合に、その購入予定情報を送信部２４に出力する。これにより、携帯電話機２０の使用者は、購入推奨情報で示される商品又はサービス（購入後所定の時間が経過した商品又はサービス）、言い換えれば、近い将来再度購入しようと考えている商品又はサービスを、購入予定情報として容易に登録することができる。
【００４９】
算出部２６は、ＧＰＳ用アンテナ２２が受信したＧＰＳ信号を処理して携帯電話機２０の現在位置を算出し、算出された現在位置を位置情報として送信部２４と購入情報受付部２８とに出力する。携帯電話機２０の現在位置は緯度経度で示される。算出部２６は、現在位置の算出及び出力を所定の時間間隔で行う。なお、現在位置の算出方法はこれに限定されない。例えば、算出部２６が、ＧＰＳ衛星４０からの信号と、測位を補助する測位補助サーバ（図示せず）からのデータとに基づいて携帯電話機２０の現在位置を算出してもよい。算出部２６が現在位置を算出する時期も限定されない。例えば、携帯電話機２０の使用者が購入支援システム１を利用している間算出し続けてもよいし、購入支援サーバ１０からの指示を受けてから算出を開始してもよい。
【００５０】
提供部２７は、受信部２３から入力された施設情報を携帯電話機２０の使用者に提供する。入力される施設情報は、上述したように、送信部２４から送信された購入予定情報及び位置情報に応じて購入支援サーバ１０が送信したものである。例えば、提供部２７は、入力された施設情報を文字で表示すると共に、使用者にいわゆるナビゲーションシステムを利用するか否かの問合せを行う。そして、使用者がナビゲーションシステムの利用を選択した場合に、算出部２６により算出された携帯電話機２０の現在位置から、施設情報に含まれる所在地情報で示される所在地までの経路を地図で表すなどの形で提供する。もっとも、施設情報の提供方法はこれに限定されず、提供部２７が文字による表示や音声データによる出力のみを行ってもよい。
【００５１】
購入情報受付部２８は、購入情報の入力を受け付け、受け付けた購入情報を送信部２４に出力する。購入情報の入力をどのように受け付けるかは限定されない。例えば、携帯電話機２０に内蔵されている非接触ＩＣカード用チップ（図示せず）を介して受信したレシート情報に基づいて購入情報が生成されるように、購入情報受付部２８を構成してもよい。また、購入予定受付部２５と同様に、購入情報が直接入力されるように構成したり、カメラ（図示せず）で撮影された二次元バーコードに基づいて購入情報が生成されるように、購入情報受付部２８を構成してもよい。
【００５２】
加えて、購入情報受付部２８は、受信部２３から入力された施設情報と算出部２６から入力された位置情報とに基づいて、携帯電話機２０と当該施設情報で示される施設との間の距離を算出して履歴として格納する。そして、購入情報受付部２８は、その履歴に基づいて、携帯電話機２０の使用者が、入力された施設情報で示される施設に出入りしたか否かを判定する。その後、購入情報受付部２８は、その判定結果に基づいて、携帯電話機２０の使用者に商品購入の有無を問い合わせるためのインタフェースを提供し、購入情報の入力を受け付ける。このために、購入情報受付部２８は、携帯電話機２０の使用者が施設に入ったか、あるいは施設から出たかを判定するための閾値を予め格納している。この閾値は、携帯電話機２０と施設との距離を示すものであり、例えば２０ｍと設定される。
【００５３】
具体的には、購入情報受付部２８は、携帯電話機２０と、入力された施設情報で示される施設との間の距離が閾値以下になり、且つその後当該距離が閾値以上になった場合に、携帯電話機２０の使用者が施設の中から外に移動したと判定する。そして、携帯電話機２０と施設との距離が閾値以上になった時点で購入情報が未送信の場合に、購入情報受付部２８は、商品購入の有無を問い合わせるためのインタフェースと、購入情報の入力を受け付けるためのインタフェースとを携帯電話機２０の使用者に提供する。
【００５４】
次に、図７〜１０を用いて、図１に示す購入支援システムの処理を説明するとともに本実施形態に係る購入支援方法について説明する。図７〜１０は、それぞれ購入支援サーバ１０と携帯電話機２０との連携を示すシーケンス図である。図７は、購入予定情報の入力の受付から施設情報の提供までの一連の処理を示すものである。図８及び９は、購入情報の入力から購入情報の格納までの一連の処理を示すものであり、図８は商品又はサービスを購入した施設内で購入情報の入力が行われた場合の処理を示す、図９は使用者が施設から出た後に購入情報の入力が行われた場合の処理を示す。図１０は、購入情報の抽出から購入推奨情報に基づく購入予定情報の格納までの一連の処理を示すものである。
【００５５】
まず、図７を用いて、購入予定情報の入力の受付から施設情報の提供までの処理を説明する。購入支援サーバ１０の施設情報格納部１３には、複数の施設情報が予め格納されている（ステップＳ１１、施設情報格納ステップ）。一方、携帯電話機２０では、購入予定受付部２５により購入予定情報の入力が受け付けられ（ステップＳ１２）、受け付けられた購入予定情報が送信部２４により購入支援サーバ１０に送信される（ステップＳ１３）。その購入予定情報は、購入支援サーバ１０の受信部１１により受信され（購入予定受信ステップ）、購入予定格納部１４に格納される（ステップＳ１４、購入予定格納ステップ）。
【００５６】
その後、携帯電話機２０の算出部２６において、当該携帯電話機２０の現在位置が算出され（ステップＳ１５）、その現在位置が位置情報として購入支援サーバ１０に送信される（ステップＳ１６）。なお、図７では、購入予定格納部１４による購入予定情報の格納から算出部２６による現在位置の算出までに一定の間隔があるように示されているが、携帯電話機２０において購入予定情報の受付と現在位置の算出とが連続的に実行されてもよい。
【００５７】
携帯電話機２０から送信された位置情報は、購入支援サーバ１０の受信部１１により受信され（位置情報受信ステップ）、位置情報格納部１５によりその位置情報が格納される（ステップＳ１７、位置情報格納ステップ）。そして、購入予定格納部１４に格納されている購入予定情報と、位置情報格納部１５に格納されている位置情報とに基づいて、携帯電話機２０の使用者が購入予定の商品又はサービスを購入可能であり且つ携帯電話機２０から所定の距離内に存在する施設を示す施設情報が施設情報格納部１３から抽出される（ステップＳ１８、施設情報抽出ステップ）。このような施設情報の抽出は、位置情報と施設情報に含まれる所在地情報に基づいて携帯電話機２０と施設との間の距離を算出するとともに、購入予定情報と施設情報に含まれる取扱情報とを比較することで行われる。
【００５８】
ここで、施設情報が抽出された場合は（ステップＳ１８；ＹＥＳ）、その施設情報が送信部１２により携帯電話機２０に送信される（ステップＳ１９、施設情報送信ステップ）。一方、施設情報が抽出されなかった場合は（ステップＳ１８；ＮＯ）、処理を終了する。なお、位置情報は所定の時間間隔で携帯電話機２０から送信されてくるので、施設情報の抽出もそれに伴い所定の時間間隔で実行される。
【００５９】
その後、携帯電話機２０の提供部２７において、その施設情報が当該携帯電話機２０の使用者に提供される（ステップＳ２０）。そして、提供部２７によりナビゲーションシステム実行の要否が問い合わされ（ステップＳ２１）、当該システムの実行が指示された場合には（ステップＳ２１；ＹＥＳ）、施設までの経路を示す地図がナビゲーションシステムにより表示される（ステップＳ２２）。ナビゲーションシステムの実行が指示されなかった場合は処理を終了する（ステップＳ２１；ＮＯ）。
【００６０】
次に、図８を用いて、商品又はサービスを購入した施設内で購入情報の入力が行われた場合の購入支援システムの処理を説明する。携帯電話機２０の使用者が商品又はサービスを購入すると、その使用者は、購入情報受付部２８を介して、購入した商品又はサービスを購入支援システム１に登録することができる。このために、購入情報受付部２８により購入情報の入力が受け付けられ（ステップＳ２３）、受け付けられた購入情報が送信部２４により購入支援サーバ１０に送信される（ステップＳ２４）。その購入情報は、購入支援サーバ１０の受信部１１により受信される。
【００６１】
そして、その購入情報に基づいて、当該購入情報で示される商品又はサービスを示す購入予定情報が削除される（ステップＳ２５）。この削除は、購入情報と購入予定情報との間で商品等属性（例えば分類名）及び端末ＩＤを比較することで行われる。更に、その購入情報が購入履歴として履歴格納部１８に格納される（ステップＳ２６）。その後、施設情報の検索が再度行われ（ステップＳ２７、施設情報抽出ステップ）、施設情報が抽出された場合は（ステップＳ２７；ＹＥＳ）、その施設情報が携帯電話機２０に送信される（ステップＳ２８、施設情報送信ステップ）。一方、施設情報が抽出されなかった場合は（ステップＳ２７；ＮＯ）、処理を終了する。
【００６２】
次に、図９を用いて、使用者が施設から出た後に購入情報の入力が行われた場合の購入支援システムの処理を説明する。まず、携帯電話機２０の使用者が施設から出たか否かが判定される（ステップＳ２９）。この判定は、施設情報と位置情報とに基づいて携帯電話機２０と使用者が入店した施設との距離を算出し、算出された距離と予め格納されている閾値との比較を一定時間周期的に実行することで実現される。
【００６３】
ここで、使用者が施設から出たと判定された場合（ステップＳ２９；ＹＥＳ）は、更に購入情報が未送信か否かが判定される（ステップＳ３０）。そして、購入情報が未送信である場合には（ステップＳ３０；ＹＥＳ）、購入情報の入力が受け付けられる（ステップＳ３１）。そして、購入情報受付部２８により購入情報が受け付けられた場合に、その購入情報が購入支援サーバ１０に送信される（ステップＳ３２）。その後の処理（ステップＳ３３〜Ｓ３６）は、ステップＳ２５〜Ｓ２８の処理と同じである。
【００６４】
次に、図１０を用いて、購入情報の抽出から購入推奨情報に基づく購入予定情報の格納までの処理を説明する。まず、履歴抽出部１９により、購入処理後所定の時間が経過した商品又はサービスを示す購入情報が履歴格納部１８から抽出され（ステップＳ３７）、抽出された購入情報が購入推奨情報として携帯電話機２０に送信される（ステップＳ３８）。その後、携帯電話機２０においてその購入推奨情報が受信され、この購入推奨情報を利用して購入予定情報の入力が受け付けられる（ステップＳ３９）。そして、受け付けられた購入予定情報が購入支援サーバ１０に送信される（ステップＳ４０）。その購入予定情報は、受信部１１により受信され（購入予定受信ステップ）、購入予定格納部１４により格納される（ステップＳ４１、購入予定格納ステップ）。なお、購入情報の抽出は、タイマーなどを使用することにより、一定の時間間隔で周期的に実行される。
【００６５】
次に、図１１〜１３を用いて、携帯電話機２０の画面遷移について説明する。図１１〜１３は、それぞれ携帯電話機２０の画面遷移の例を示す図である。図１１は、購入予定情報の入力を受け付ける際に行われる画面遷移を表し、図１２は、施設情報を提供する際に行われる画面遷移を表す。図１３には、購入情報の入力を受け付ける際に表示される画面の例が二つ示されている。
【００６６】
図１１に示す例では、ウェブページ上のリンクをクリックすると、そのリンクで示される商品又はサービスの情報に基づいて購入予定情報の入力が受け付けられる。図１１（ａ）に示す画面には、複数のリンク（「Ａティッシュ」、「Ｂティッシュ」など）を含むウェブページが表示されている。そして、携帯電話機２０の使用者がこれらのリンクから一のリンクを選ぶと、図１１（ｂ）に示すように、選択された商品又はサービスを購入予定情報として登録するか否かをその使用者に選択させるための画面が表示される。ここで使用者が「ＹＥＳ」を選択すると、選択された商品又はサービスを示す購入予定情報が購入支援サーバ１０に送信される。
【００６７】
図１２（ａ）では、受信部２３により受信された施設情報（「Ｓ」で表示）が地図と共に表示されている。携帯電話機２０の使用者は、図１２（ａ）で示される地図を利用してもよいし、地図上に示される施設のうち一の施設までの詳細な道のりを画面上に表示させることも可能である。図１２（ｂ）に示す画面は、当該一の施設までの詳細な道のりを三次元で表示したものである。
【００６８】
図１３（ａ）に示す画面は、携帯電話機２０に内蔵されている非接触ＩＣカード（図示せず）などにより取り込まれた商品情報に基づいて購入情報の入力を受け付ける際のものである。携帯電話機２０の使用者が、その画面上に表示されている「ＯＫ」をクリックすることにより、「Ｂティッシュ」に関する購入情報が購入支援サーバ１０に送信される。
【００６９】
これに対し、図１３（ｂ）に示す画面は、携帯電話機２０の使用者が購入情報を入力せずに施設外へ移動した際に表示されるものである。この場合は、購入情報受付部２８が、その施設で購入可能な商品又はサービスを購入したか否かを使用者に問い合わせるための画面を表示する。ここで使用者が「ＹＥＳ」をクリックした場合には、表示されている商品についての購入情報が購入支援サーバ１０に送信される。
【００７０】
以上説明したように、本実施形態によれば、まず、携帯電話機２０が、購入予定情報の入力を受け付けて当該情報を購入支援サーバ１０に送信するとともに、自端末の現在位置を算出しその現在位置を示す位置情報を購入支援サーバ１０に送信する。次に、購入支援サーバ１０が、携帯電話機２０から送信された購入予定情報及び位置情報とに基づいて、購入予定の商品又はサービスを購入可能であり且つ通信端末から所定の距離内に存在する施設を示す施設情報を、予め格納されている複数の施設情報から抽出し、抽出された施設情報を携帯電話機２０に送信する。そして、携帯電話機２０が、その施設情報を受信して提供する。これにより、消費者（携帯電話機２０の使用者）が購入予定の商品又はサービスを登録しさえすれば、その商品又はサービスを購入可能な施設にその消費者が近づいた際に、当該消費者にその施設の情報が提供される。そのため、消費者は、購入予定の商品又はサービスを登録した後にその購入のことを意識しなくても、その商品又はサービスを購入可能な施設に近づいた際にその施設の情報を受けることができる。すなわち、購入予定の商品又はサービスを購入可能な施設情報を、消費者の位置に基づいて、当該消費者に提供できる。また、施設情報が提供されるので、消費者は、その施設情報で示される施設に容易に向かうことができる。
【００７１】
また、本実施形態によれば、まず、携帯電話機２０が、購入情報の入力を受け付けて当該情報を購入支援サーバ１０に送信する。そして、購入支援サーバ１０が、その購入情報に基づいて、当該購入情報で示される商品又はサービスを示す購入予定情報を削除する。これにより、消費者に対しては、購入予定の商品又はサービスを購入可能な施設のみが提供される。言い換えれば、消費者は、一度購入した商品又はサービス（再購入の必要がない商品又はサービス）の再購入を促されることがない。すなわち、施設情報がより適切に提供される。
【００７２】
また、本実施形態によれば、購入支援サーバ１０が、購入情報を格納し、格納された購入情報（購入履歴）に基づいて、購入処理後（購入情報格納後）所定の時間が経過した商品又はサービスを示す購入推奨情報を携帯電話機２０に送信する。そして、携帯電話機２０がその購入推奨情報に応じて送信した購入予定情報が、購入支援サーバ１０により受信され格納される。これにより、消費者が過去に購入した商品又はサービスを示す購入推奨情報が、その購入から所定時間経過後に自動的に携帯電話機２０に送信されるので、消費者に対してその商品又はサービスの再購入を容易に促すことができる。特に、日用雑貨やクリーニングサービスなどのような、周期的に購入するような商品及びサービスに対して、この手法は有効である。また、消費者は、送信されてきた購入推奨情報に基づいて購入予定情報を登録することができるので、登録の利便性が更に向上する。
【００７３】
また、本実施形態によれば、消費者が購入しようとしている商品又はサービスを取り扱う施設にその消費者が近づいた際に、携帯電話機２０の現在位置（消費者の現在位置）から施設までの経路が、地図又は三次元の経路案内表示により提供される。これにより、消費者は、提供された地図又は経路案内表示に従ってその施設により容易に向かうことができるので、携帯電話機２０の利便性が更に向上する。
【００７４】
また、本実施形態によれば、購入情報受付部２８が、携帯電話機２０と、購入支援サーバ１０から受信した施設情報で示される施設までの距離の履歴を格納し、その履歴に従って携帯電話機２０の使用者がその施設に出入りしたか否かを判定する。そして、携帯電話機２０の使用者が施設から出た時までに、少なくとも一度は購入情報の入力が受け付けられる。そのため、購入情報の登録漏れを可及的に防止できるとともに、購入支援サーバ１０内に格納されている購入予定情報及び購入情報をより正確なものに維持することが可能になる。
【００７５】
以上、本発明をその実施形態に基づいて詳細に説明した。しかし、本発明は上記実施形態に限定されるものではない。本発明は、その要旨を逸脱しない範囲で以下のような様々な変形が可能である。
【００７６】
上記実施形態では、購入予定受付部２５が購入推奨情報に基づいて購入予定情報を送信する際に、携帯電話機２０の使用者にその送信を行うか否かを問い合わせたが、このような問合せを行うことなく購入支援サーバ１０の購入予定格納部１４に購入予定情報を格納してもよい。具体的には、まず、履歴抽出部１９が、格納後所定の時間が経過した購入履歴を抽出し、抽出された購入履歴に基づいて購入予定情報を生成して購入予定格納部１４に出力する。そして、購入予定格納部１４が、入力された購入予定情報を格納する。この場合、購入推奨情報は携帯電話機２０に送信されず、購入支援サーバ１０内の処理だけで購入予定情報が格納される。そのため、移動体通信網３０にかかる負荷を軽減できる。また、携帯電話機２０の使用者は、購入推奨情報に基づいて購入予定情報の入力を行う必要がないため、携帯電話機２０及び購入支援システム１の利便性が更に向上する。
【００７７】
また、上記実施形態では、位置情報及び所在地情報が緯度経度で表されたが、これらの情報の表現方式は緯度経度に限定されない。例えば、携帯電話機２０が移動体通信網３０内の基地局（図示せず）からの基地局情報に基づいて在圏地域（例えば「六本木エリア」など）を取得し、その在圏地域を位置情報とする。そして、購入支援サーバ１０の施設情報抽出部１６が、その位置情報と、住所で表される所在地情報とを比較して施設を抽出するように購入支援システム１を構成してもよい。
【００７８】
また、上記実施形態では、通信端末として携帯電話機２０を用いたが、簡易型携帯電話機（ＰＨＳ：Personal Handy-phone System）、あるいは、携帯型情報端末（ＰＤＡ：Personal Digital Assistant）などを通信端末として利用してもよい。
【図面の簡単な説明】
【００７９】
【図１】購入支援システムの全体構成を示す図である。
【図２】図１に示す購入支援サーバの機能構成を示す図である。
【図３】図１に示す購入支援サーバのハードウェア構成図である。
【図４】施設情報格納部に格納される施設情報の例を示す図である。
【図５】図１に示す携帯電話機の機能構成を示す図である。
【図６】図１に示す携帯電話機のハードウェア構成図である。
【図７】購入予定情報の受付から施設情報の提供までの処理を示すシーケンス図である。
【図８】購入情報の受付から購入情報の格納までの処理を示すシーケンス図である。
【図９】購入情報の受付から購入情報の格納までの処理を示すシーケンス図である。
【図１０】購入情報の抽出から購入推奨情報に基づく購入予定情報の格納までの処理を示すシーケンス図である。
【図１１】購入予定情報の受付時の画面遷移例を表す図である。（ａ）は商品情報を含むウェブページを表示した画面であり、（ｂ）は購入予定情報の登録の要否を選択するための画面である。
【図１２】施設情報提供時の画面遷移例を表す図である。（ａ）は施設情報を含む地図を表示した画面であり、（ｂ）は施設までの道のりを三次元で表示した画面である。
【図１３】購入情報の受付時の画面例を表す図である。（ａ）は自動的に取り込まれた商品情報を表示した画面であり、（ｂ）は消費者に購入情報の登録を促す画面である。
【符号の説明】
【００８０】
１…購入支援システム、１０…購入支援サーバ、１１…受信部（位置情報受信手段、購入予定受信手段、購入情報受信手段）、１２…送信部（施設情報送信手段、推奨対象送信手段）、１３…施設情報格納部（施設情報格納手段）、１４…購入予定格納部（購入予定格納手段）、１５…位置情報格納部（位置情報格納手段）、１６…施設情報抽出部（施設情報抽出手段）、１７…削除部（削除手段）、１８…履歴格納部（履歴格納手段）、１９…履歴抽出部（履歴抽出手段）、２０…携帯電話機（通信端末）、２３…受信部（施設情報受信手段）、２４…送信部（購入予定送信手段、位置情報送信手段、購入情報送信手段）、２５…購入予定受付部（購入予定受付手段）、２６…算出部（算出手段）、２７…提供部（提供手段）、２８…購入情報受付部（購入情報受付手段）、３０…移動体通信網、４０…ＧＰＳ衛星
【図１】
2008242813.tif 000003
【図２】
2008242813.tif 000004
【図３】
2008242813.tif 000005
【図４】
2008242813.tif 000006
【図５】
2008242813.tif 000007
【図６】
2008242813.tif 000008
【図７】
2008242813.tif 000009
【図８】
2008242813.tif 000010
【図９】
2008242813.tif 000011
【図１０】
2008242813.tif 000012
【図１１】
2008242813.tif 000013
【図１２】
2008242813.tif 000014
【図１３】
2008242813.tif 000015